(57)【特許請求の範囲】
【請求項１】
ディスクの半径方向に沿って往復移動可能なスライドベースに発光部及び対物レンズ付
きアクチュエータと読取用素子とが設けられ、前記発光部が、レーザーダイオードを収納
した鍔部付きパッケージと、該パッケージを支持するためのホルダとを有し、該ホルダに
同心状の大径部と小径部とからなる嵌合孔が貫設され、前記大径部の内周面に１つの位置
決め突起と複数の嵌合突起とが周方向に所定間隔をおいて一体突設され、前記鍔部の外周
面に位置決め凹部が形成されており、該位置決め凹部を位置決め突起に嵌合させて鍔部を
嵌合突起間に圧入させることにより、パッケージを小径部に挿通し、レーザーダイオード
からレーザ光を対物レンズを通してディスクに投射し、その反射光を対物レンズを通して
読取用素子で受光し、その受光信号に基づいてディスクに記録されている情報を読み取る
ようにした光ピックアップにおいて、前記位置決め突起の横幅が前記位置決め凹部の横幅
と同一またはわずかに大きく設定され、前記位置決め突起の端面に前記ホルダの大径部側
端面よりも所定高さだけ外方に突出するガイド部が一体突設されており、そのガイド部に
位置決め凹部を係合させ、鍔部を嵌合突起間に圧入させると共に、位置決め凹部を位置決
め突起に嵌合させるようにしたことを特徴とする光ピックアップ。
【請求項２】
前記ガイド部が、前記位置決め突起の端面に一体形成した基台部と、該基台部に一体形
成したガイド部本体とからなり、前記基台部の両側面及び内周面が位置決め突起の両側面
及び内周面と面一状に形成されると共に、該基台部が前記ホルダの大径部側端面よりも所
定高さだけ外方に突出され、前記ガイド部本体の両側面が先すぼまりのテーパ面とされて
いることを特徴とする請求項１に記載の光ピックアップ。
【請求項３】
前記ガイド部本体の内周面が先すぼまりの傾斜面とされていることを特徴とする請求項
２に記載の光ピックアップ。
【発明の詳細な説明】
【技術分野】
【０００１】
本発明は、ディスク装置（例えばＤＶＤレコーダ、ＤＶＤプレーヤ、ＣＤプレーヤなど
）に使用される光ピックアップに関し、特に、レーザーダイオードの固定位置を安定させ
たものである。
【背景技術】
【０００２】
光ピックアップの概略を図６の概略平面図及び図７の斜視図に基づいて説明すると、こ
れは、ディスクＤの半径方向に沿うガイドレール１にスライドベース２が往復移動可能に
係合され、該スライドベース２の表裏両面のうち、その一方面に一体突設した起立枠２Ａ
に発光部３と対物レンズＯＬ付きアクチュエータ４とフォトダイオードからなる読取用素
子ＰＤ１とが設けられている。また、起立枠２Ａに、フォトダイオードからなる光量検知
用素子ＰＤ２、立ち上げミラーＭ及びハーフミラーＨＭが設けられている。なお、５はス
ライドベース２の他方面に設けたプリント配線基板からなるメイン基板である。
【０００３】
情報読取手順を説明すると、ディスクＤを高速回転させ、アクチュエータ４を駆動して
、該アクチュエータ４に設けた支軸４ａに沿って対物レンズＯＬをフォーカス方向に移動
させると共に、該支軸４ａ回りで対物レンズＯＬをトラッキング方向に移動させ、発光部
３からレーザ光ａをハーフミラーＨＭ及び立ち上げミラーＭで反射し対物レンズＯＬを通
してディスクＤに投射し、その反射光ｂを対物レンズＯＬに通し立ち上げミラーＭで反射
しハーフミラーＨＭを通過して読取用素子ＰＤ１で受光させ、その受光信号に基づいてデ
ィスクＤに記録されている情報を読み取ると共に、レーザ光ａの光量を光量検知用素子Ｐ
Ｄ２で検知する。
【０００４】
従来、前記発光部３の技術として図８〜図１２に示すものがあり、図８は同要部の正面
図、図９は図８のＢ−Ｂ矢視図、図１０は同要部の斜視図、図１１は同要部の分解斜視図
、図１２（ａ）及び（ｂ）は位置決め突起の中立状態を示す概略説明図、図１２（ｃ）及
び（ｄ）は位置決め突起の左寄り状態を示す概略説明図、図１２（ｅ）及び（ｆ）は位置
決め突起の右寄り状態を示す概略説明図である。
【０００５】
図８〜図１１に示すように、前記発光部３は、ＣＡＮパッケージタイプＬＤと称するレ
ーザーダイオードＬＤを収納した鍔部７ａ付きパッケージ７と、該パッケージ７を支持す
るためのホルダ８とを有し、該ホルダ８の中央に同心状の大径部９Ａと小径部９Ｂとから
なる嵌合孔９が貫設され、前記大径部９Ａの内周面に１つの位置決め突起１０と複数（こ
の例では３つ）の嵌合突起１１とが周方向に所定間隔をおいて一体突設され、その各嵌合
突起１１の内周面１１ａをつなぐ仮想円Ｓ（図１１参照）の外径Ｌ１が鍔部７ａの外径Ｌ
２よりも例えば０．０１〜０．０５ｍｍ程度わずかに小さく設定され、該鍔部７ａの外周
面に位置決め凹部１２が形成され、位置決め突起１０の横幅ｋ１が位置決め凹部１２の横
幅ｋ２よりもわずかに小さく設定され、位置決め突起１０の端面１０ａがホルダ８の大径
部側端面８ａと面一状に形成されると共に、各嵌合突起１１の端面１１ｂが位置決め突起
１０の端面１０ａとほど同一高さに設定されて嵌合孔９の中央に向かって下向きに傾斜さ
れている。なお、図１１中、１３はレーザーダイオードＬＤとグランドに接続した端子で
ある。
【０００６】
組立手順を説明すると、パッケージ７の位置決め凹部１２をホルダ８の位置決め突起１
０に同心状に位置決めした状態で、該パッケージ７を下降させることにより、位置決め凹
部１２を位置決め突起１０に嵌合させ、パッケージ７を嵌合孔９内に押し込むことにより
、鍔部７ａを嵌合突起１１間に圧入させて大径部９Ａと小径部９Ｂとの間の棚面９ａ上に
載置する（図９及び図１０参照）。
【０００７】
上記構成によれば、レーザーダイオードＬＤを作動させることにより発生する高熱をパ
ッケージ７から各嵌合突起１１を通ってホルダ８に逃がし、レーザーダイオードＬＤの高
熱による性能低下を防ぐ。なお関連する技術として特許文献１に記載したものがある。
【特許文献１】特開２００５−１９０５７２号公報
【発明の開示】
【発明が解決しようとする課題】
【０００８】
上記従来の構成では、位置決め凹部１２を位置決め突起１０に嵌合させるため、例えば
０．２ｍｍ程度の部品公差ｄがあり（ｄ＝ｋ２−ｋ１）、その部品公差ｄによって、位置
決め凹部１２に対して位置決め突起１０が中立位置〔図１２（ａ）〕、左寄り位置〔図１
２（ｂ）〕または右寄り位置〔図１２（ｃ）〕に不規則に位置決めされるため、ホルダ８
に対するパッケージ７の圧入位置決め精度が安定せず、レーザーダイオードＬＤの固定位
置もばらつくことになる〔図１２（ｂ）（ｄ）（ｆ）参照〕。このため、レーザーダイオ
ードＬＤからレーザ光ａを投射しディスクＤで反射させた反射光ｂを偏光させて読取用素
子ＰＤ１に入る受光量が設計値に比べて増減し、信号レベルが変動して読取誤差が生じる
ことがあり、ピックアップ特性が不安定である。
【０００９】
本発明は、上記従来の欠点に鑑み、レーザーダイオードの固定位置を安定させた光ピッ
クアップを提供することを目的としている。
【課題を解決するための手段】
【００１０】
上記目的を達成するため、請求項１に記載の発明は、ディスクの半径方向に沿って往復
移動可能なスライドベースに発光部及び対物レンズ付きアクチュエータと読取用素子とが
設けられ、前記発光部が、レーザーダイオードを収納した鍔部付きパッケージと、該パッ
ケージを支持するためのホルダとを有し、該ホルダに同心状の大径部と小径部とからなる
嵌合孔が貫設され、前記大径部の内周面に１つの位置決め突起と複数の嵌合突起とが周方
向に所定間隔をおいて一体突設され、前記鍔部の外周面に位置決め凹部が形成されており
、該位置決め凹部を位置決め突起に嵌合させて鍔部を嵌合突起間に圧入させることにより
、パッケージを小径部に挿通し、レーザーダイオードからレーザ光を対物レンズを通して
ディスクに投射し、その反射光を対物レンズを通して読取用素子で受光し、その受光信号
に基づいてディスクに記録されている情報を読み取るようにした光ピックアップにおいて
、前記位置決め突起の横幅が前記位置決め凹部の横幅と同一またはわずかに大きく設定さ
れ、前記位置決め突起の端面に前記ホルダの大径部側端面よりも所定高さだけ外方に突出
するガイド部が一体突設されており、そのガイド部に位置決め凹部を係合させ、鍔部を嵌
合突起間に圧入させると共に、位置決め凹部を位置決め突起に嵌合させるようにしたこと
を特徴としている。
【００１１】
請求項２に記載の発明は、請求項１に記載の発明において、前記ガイド部が、前記位置
決め突起の端面に一体形成した基台部と、該基台部に一体形成したガイド部本体とからな
り、前記基台部の両側面及び内周面が位置決め突起の両側面及び内周面と面一状に形成さ
れると共に、該基台部が前記ホルダの大径部側端面よりも所定高さだけ外方に突出され、
前記ガイド部本体の両側面が先すぼまりのテーパ面とされていることを特徴としている。
【００１２】
請求項３に記載の発明は、請求項２に記載の発明において、前記ガイド部本体の内周面
が先すぼまりの傾斜面とされていることを特徴としている。
【発明の効果】
【００１３】
請求項１に記載の発明において、ホルダの位置決め突起の横幅がパッケージの位置決め
凹部の横幅と同一またはわずかに大きく設定されているから、従来のように位置決め突起
の端面がホルダの大径部側端面と面一状に形成されているだけでは、その位置決め突起に
位置決め凹部を嵌合させることが困難である。そこで、本発明では、ホルダの大径部側端
面より外方に突出するガイド部が位置決め突起の端面に一体突設されており、そのガイド
部にパッケージの位置決め凹部を係合させることにより、該位置決め凹部を位置決め突起
に容易に嵌合させることができる。
【００１４】
位置決め突起の両側面に位置決め凹部の両内側面が密着されて、その位置決め突起と位
置決め凹部との間の部品公差がゼロになっているから、従来のように部品公差によって位
置決め凹部に対して位置決め突起が中立位置、左寄り位置または右寄り位置に不規則に位
置決めされるという難点を解消して、レーザーダイオードの固定位置を安定させることが
できる。従って、レーザーダイオードからレーザ光を投射しディスクで反射させた反射光
を偏光させて読取用素子に入る受光量が設計値にほぼ一致し、信号レベルを安定させて読
取誤差の発生を防ぎ、ピックアップ特性を良好に維持することができる。
【００１５】
請求項２に記載の発明によれば、パッケージの位置決め凹部をガイド部本体に係合させ
るだけで、該位置決め凹部をガイド部本体の両テーパ面に沿って滑らせて基台部まで円滑
に案内し、その位置決め凹部を位置決め突起に所定通りに位置決めすることができる。
【００１６】
請求項３に記載の発明によれば、ガイド部本体の内周面を先すぼまりの傾斜面としてい
るから、その傾斜面に沿ってパッケージの位置決め凹部を滑らすことにより、その位置決
め凹部をガイド部本体に引っ掛からないようにして基台部まで円滑に案内することができ
る。
【発明を実施するための最良の形態】
【００１７】
図１〜図５は本発明の実施の一形態である光ピックアップの要部を示すものであって、
図１は同要部の正面図、図２は図１のＡ−Ａ矢視図、図３は同要部の斜視図、図４は同要
部の分解斜視図、図５（ａ）は同要部の拡大平面図、図５（ｂ）は同要部の拡大正面図、
図５（ｃ）は同要部の拡大縦断面図である。
【００１８】
図１〜図５に示すように、位置決め突起１０の横幅ｋ１が位置決め凹部１２の横幅ｋ２
と同一またはわずかに大きく設定され（ｋ１≧ｋ２）、位置決め突起１０の端面１０ａに
ホルダ８の大径部側端面８ａよりも所定高さｈ１だけ外方に突出するガイド部１５が一体
突設されている。
【００１９】
前記ガイド部１５は、位置決め突起１０の端面１０ａに一体形成した角柱形の基台部１
５Ａと，該基台部１５Ａに一体形成した截頭角錐形のガイド部本体１５Ｂとからなってい
る。
【００２０】
図５に示すように、前記基台部１５Ａの両側面１５ａ，１５ｂ及び内周面１５ｃが位置
決め突起１０の両側面１０ｂ，１０ｃ及び内周面１０ｄと面一状に形成されて、該基台部
１５Ａが位置決め突起１０に一体化されると共に、該基台部１５Ａがホルダ８の大径部側
端面８ａよりも所定高さｈ２だけ外方に突出されている。
【００２１】
図５に示すように、前記ガイド部本体１５Ｂの両側面が所定の傾斜角度αの先すぼまり
のテーパ面１５ｄとされ、また、ガイド部本体１５Ｂの内側面が所定の傾斜角度βの先す
ぼまりの傾斜面１５ｅとされている。
【００２２】
具体的寸法の一例を説明すると、位置決め突起１０の横幅ｋ１が１．１〜１．２ｍｍ、
位置決め凹部１２の横幅ｋ２が１．１ｍｍであり、例えば位置決め突起１０の横幅ｋ１を
１．２ｍｍに設定した場合、その位置決め突起１０の横幅ｋ１が位置決め凹部１２の横幅
ｋ２よりも０．１ｍｍだけ大きくなる。
【００２３】
また、ガイド部１５の高さｈ１が０．８ｍｍ、基台部１５Ａの高さｈ２が０．２ｍｍ、
テーパ面１５ｄ及び傾斜面１５ｅの傾斜角度α，βが３０°である。
【００２４】
組立手順を説明すると、パッケージ７の位置決め凹部１２をガイド部本体１５Ｂに係合
させることにより、その位置決め凹部１２がテーパ面１５ｄ及び傾斜面１５ｅに沿って滑
って基台部１５Ａに嵌合され、パッケージ７が嵌合孔９に対して所定通りに位置決めされ
る。続いて、パッケージ７を嵌合孔９に向けて押し込むことにより、鍔部７ａを嵌合突起
１１間に圧入させると共に、位置決め凹部１２を位置決め突起１０に嵌合させ、鍔部７ａ
を棚面９ａ上に載置する（図２及び図３参照）。
【００２５】
上記構成において、ホルダ８の位置決め突起１０の横幅ｋ１がパッケージ７の位置決め
凹部１２の横幅ｋ２と同一またはわずかに大きく設定されているから、図８及び図９に示
す従来例のように位置決め突起１０の端面１０ａがホルダ８の大径部側端面８ａと面一状
に形成されているだけでは（要するに本発明のガイド部１５に相当するものが無い状態で
は）、その位置決め突起１０に位置決め凹部１２を嵌合させることが困難である。
【００２６】
そこで、本発明では、ホルダ８の大径部側端面８ａより外方に突出するガイド部１５が
位置決め突起１０の端面１０ａに一体突設されており、そのガイド部１５にパッケージ７
の位置決め凹部１２を係合させることにより、該位置決め凹部１２を位置決め突起１０に
容易に嵌合させることができる。
【００２７】
位置決め突起１０の横幅ｋ１が位置決め凹部１２の横幅ｋ２と同一またはわずかに大き
く設定されており、該位置決め突起１０の両側面１０ｂ，１０ｃに位置決め凹部１２の両
内側面が密着されて、その位置決め突起１０と位置決め凹部１２との間の部品公差ｄ（図
１２参照）がゼロになっているから、従来のように部品公差ｄによって位置決め凹部１２
に対して位置決め突起１０が中立位置〔図１２（ａ）参照〕、左寄り位置〔図１２（ｂ）
参照〕または右寄り位置〔図１２（ｃ）参照〕に不規則に位置決めされるという難点を解
消して、レーザーダイオードＬＤの固定位置を安定させることができる。従って、レーザ
ーダイオードＬＤからレーザ光ａを投射しディスクＤで反射させた反射光ｂを偏光させて
読取用素子ＰＤ１に入る受光量が設計値にほぼ一致し、信号レベルを安定させて読取誤差
の発生を防ぎ、ピックアップ特性を良好に維持することができる（図６参照）。
【００２８】
また、パッケージ７の位置決め凹部１２をガイド部本体１５Ｂに係合させるだけで、該
位置決め凹部１２をガイド部本体１５Ｂの両テーパ面１５ｄに沿って滑らせて基台部１５
Ａまで円滑に案内し、その位置決め凹部１２を位置決め突起１０に所定通りに位置決めす
ることができる。
【００２９】
更に、ガイド部本体１５Ｂの内周面を先すぼまりの傾斜面１５ｅとしているから、その
傾斜面１５ｅに沿ってパッケージ７の位置決め凹部１２を滑らすことにより、その位置決
め凹部１２をガイド部本体１５Ｂに引っ掛からないようにして基台部１５Ａまで円滑に案
内することができる。
【図面の簡単な説明】
【００３０】
【図１】本発明の実施の一形態である光ピックアップの要部を示す正面図である。
【図２】図１のＡ−Ａ矢視図である。
【図３】同要部の斜視図である。
【図４】同要部の分解斜視図である。
【図５】（ａ）は同要部の拡大平面図、（ｂ）は同要部の拡大正面図、（ｃ）は同要部の拡大縦断面図である。
【図６】光ピックアップの概略平面図である。
【図７】同光ピックアップの斜視図である。
【図８】従来例を示す要部の正面図である。
【図９】図８のＢ−Ｂ矢視図である。
【図１０】同要部の斜視図である。
【図１１】同要部の分解斜視図である。
【図１２】（ａ）及び（ｂ）は位置決め突起の中立状態を示す概略説明図、（ｃ）及び（ｄ）は位置決め突起の左寄り状態を示す概略説明図、（ｅ）及び（ｆ）は位置決め突起の右寄り状態を示す概略説明図である。
【符号の説明】
【００３１】
２          スライドベース
３          発光部
４          アクチュエータ
７          パッケージ
７ａ        鍔部
８          ホルダ
８ａ        ホルダの大径部側端面
９          嵌合孔
９Ａ        嵌合孔の大径部
９Ｂ        嵌合孔の小径部
１０        位置決め突起
１１        嵌合突起
１２        位置決め凹部
１５        ガイド部
１５Ａ      ガイド部の基台部
１５Ｂ      ガイド部のガイド部本体
１５ｄ      ガイド部本体のテーパ面
１５ｅ      ガイド部本体の傾斜面
ＬＤ        レーザーダイオード
Ｄ          ディスク
ＯＬ        対物レンズ
ＰＤ１      読取用素子
ｋ１        位置決め突起の横幅
ｋ２        位置決め凹部の横幅
【図１】
0004835591.tif 000002
【図２】
0004835591.tif 000003
【図３】
0004835591.tif 000004
【図４】
0004835591.tif 000005
【図５】
0004835591.tif 000006
【図６】
0004835591.tif 000007
【図７】
0004835591.tif 000008
【図８】
0004835591.tif 000009
【図９】
0004835591.tif 000010
【図１０】
0004835591.tif 000011
【図１１】
0004835591.tif 000012
【図１２】
0004835591.tif 000013